(57)【要約】【課題】接続用の端子を清掃するかしないかを利用者が選択できる電子機器を提供する。【解決手段】カバー部材と、カバー部材に収納される位置とカバー部材の外部に露出する位置との間で移動可能な端子部を一端側に備えた端子部材と、カバー部材側に配され、端子部の移動経路上で、端子部に接する位置と、退避位置との間で移動可能な端子清掃部材と、を備える電子機器である。【選択図】図１
2014010922.tif 000002
【特許請求の範囲】
【請求項１】
カバー部材と、
前記カバー部材に収納される位置と、前記カバー部材の外部に露出する位置との間で移動可能な端子部を一端側に備えた端子部材と、
前記カバー部材側に配され、前記端子部の移動経路上で、端子部に接する位置と、退避位置との間で移動可能な端子清掃部材と、を備える電子機器。
【請求項２】
カバー部材と、
前記カバー部材に収納される位置と、前記カバー部材の外部に露出する位置との間で移動可能な端子部を一端側に備えた端子部材と、
前記カバー部材側に配され、前記端子部材によって隠蔽される位置と、露出する位置との間で移動可能であり、前記端子部と同じ形状を有する端子清掃部材と、を備える電子機器。
【請求項３】
請求項２に記載の電子機器であって、
前記端子部と、前記端子清掃部材とは、選択的にいずれかを露出可能である電子機器。
【発明の詳細な説明】
【技術分野】
【０００１】
本発明は、例えばＵＳＢ（Universal Serial Bus）コネクタ等を備えた、コンピュータに接続して使用する電子機器に関する。
【背景技術】
【０００２】
近年、パーソナルコンピュータ等に周辺機器を接続するために、種々のコネクタが用いられている。例えば、シリアルインターフェースの規格であるＵＳＢ（Universal Serial Bus）規格は、ＳＳＤ（Solid State Drive）等、比較的データ転送速度を要求するデバイスとの接続においても使用される。
【０００３】
図１０は、かかるＵＳＢコネクタを備えたデバイスの一例として、広く使用されている、いわゆるＵＳＢメモリの斜視図である。このＵＳＢメモリ２００は、情報記憶媒体としてのメモリが格納されている本体部２０２と、実質的にその平面が矩形状をなす平板状の端子部２０３とを含んで構成される。またこのＵＳＢメモリ２００の端子部２０３の平面または底面の少なくとも一方には、複数の端子としての導体パターン２０４が形成されている。さらにこの端子部２０３は、矩形筒状のシェル２０５内に配されている。
【０００４】
この一般的なＵＳＢメモリ２００は、そのプラグとしての端子部２０３をパーソナルコンピュータ等に備えられたＵＳＢレセプタクルに挿入して使用される。ＵＳＢレセプタクルは、端子部２０３が挿入されたときに、当該端子部２０３を平面側と底面側とから挟み込んで支持する。またこのＵＳＢレセプタクルには、端子部２０３上の各導体パターン２０４に対応して設けられ、それぞれに電気的に接触する導体部が備えられている。
【０００５】
パーソナルコンピュータ等の機器は、このＵＳＢレセプタクルの導体部と、ＵＳＢメモリ２００側の導体パターン２０４との電気的接触を介して、ＵＳＢメモリ２００内のメモリに対してデータを書込み、また、このメモリからのデータの読出しを行う。
【０００６】
このように従来のＵＳＢコネクタ等、電子機器のプラグ（オス側）やレセプタクル（メス側）においては、シェルが設けられてその端子部に直接指が触れない構成となっているものも多い。しかしながら小型化のため、またはデザイン上の問題からシェルを設けないものも増えているのが現状である。
【０００７】
こうしたシェルを設けないコネクタでは、端子部が露出した状態になっているため、人の手指が触れることで皮脂、埃、その他の異物が付着しやすくなる。異物が付着した場合、利用者は電気的接触を確実にするために端子部の導体パターンを布等で拭取るなどの作業を行うことになる。
【０００８】
なお、特許文献１に開示の技術では、指紋認識センサ装置において、検出部に残る人体の汗や脂、さらには静電気の帯電等を除去するために、検出部に清掃手段兼カバーを取り付けることが試みられている。
【先行技術文献】
【特許文献】
【０００９】
【特許文献１】特開２００６−１１９２１号公報
【発明の概要】
【発明が解決しようとする課題】
【００１０】
しかしながら、ＵＳＢ等のプラグは、上述のように、コンピュータ等に接続する際にはレセプタクル等に挿入することとなっているうえ、さらに端子部に清掃手段兼カバーのようなものを設けて毎回清掃することとしてしまうと、摩耗による劣化が懸念される。一方でこの電子機器のコネクタの受け側（レセプタクル）についても清掃したい要望がある。
【００１１】
本発明は上記実情に鑑みて為されたもので、接続用の端子を清掃するかしないかを利用者が選択できる電子機器を提供することを、その目的の一つとする。また要望により、レセプタクルを選択的に清掃可能とすることをまた別の目的の一つとする。
【課題を解決するための手段】
【００１２】
上記従来例の問題点を解決する本発明は、電子機器であって、カバー部材と、前記カバー部材に収納される位置と、前記カバー部材の外部に露出する位置との間で移動可能な端子部を一端側に備えた端子部材と、前記カバー部材側に配され、前記端子部の移動経路上で、端子部に接する位置と、退避位置との間で移動可能な端子清掃部材と、を備えることとしたものである。
【００１３】
また本発明の一態様に係る電子機器は、カバー部材と、前記カバー部材に収納される位置と、前記カバー部材の外部に露出する位置との間で移動可能な端子部を一端側に備えた端子部材と、前記カバー部材側に配され、前記端子部材によって隠蔽される位置と、露出する位置との間で移動可能であり、前記端子部と同じ形状を有する端子清掃部材と、を備えることとしたものである。
【００１４】
またここで、前記端子部と、前記端子清掃部材とは、選択的にいずれかを露出可能であってもよい。
【発明の効果】
【００１５】
本発明のある態様によると、接続用の端子を清掃するかしないかを利用者が選択できる。また本発明の別の態様では、レセプタクルを選択的に清掃できる。
【図面の簡単な説明】
【００１６】
【図１】本発明の第１の実施の形態に係る電子機器の一例を表す概略斜視図である。
【図２】本発明の第１の実施の形態に係る電子機器の一例を表す概略図である。
【図３】本発明の第１の実施の形態に係る電子機器の一例を表す概略断面図である。
【図４】本発明の第１の実施の形態に係る電子機器の作用の例を表す説明図である。
【図５】本発明の第２の実施の形態に係る電子機器の例を表す概略断面図である。
【図６】本発明の第２の実施の形態に係る電子機器の別の例を表す概略断面図である。
【図７】本発明の第２の実施の形態に係る電子機器のまた別の例を表す概略断面図である。
【図８】本発明の第２の実施の形態に係る電子機器のさらに別の例を表す概略断面図である。
【図９】本発明の第２の実施の形態に係る電子機器のもう一つの例を表す概略断面図である。
【図１０】一般的なＵＳＢメモリの概要を表す斜視図である。
【発明を実施するための形態】
【００１７】
本発明の実施の形態について図面を参照しながら説明する。本発明の第１の実施の形態に係る電子機器は、例えば図１に例示されるＵＳＢメモリ１０として実現される。本実施の形態の電子機器の一例としてのＵＳＢメモリ１０は、図１に例示するように、カバー部材としての本体カバー部１１と、端子部材１３と、端子部１４と、導体パターン１５とを含む。
【００１８】
本体カバー部１１は、実質的に直方体形状をなす。もっともデザイン等のため、側面視においてやや平行四辺形状となっていても構わない。本実施の形態の電子機器では、この端子部材１３が、カバー部材である本体カバー部１１に収納される位置（図１（ａ））と、本体カバー部１１の外部に露出する位置（図１（ｂ））との間で移動可能な端子部１４を少なくとも一端側に備えている。
【００１９】
図１（ａ）は、端子部１４が本体カバー部１１に収納される位置にある場合を示す斜視図であり、図１（ｂ）は、端子部１４が本体カバー部１１の外部に露出する位置に移動した場合を示す斜視図である。図１に示すように、本実施の形態のある例では、本体カバー部１１の底面の少なくとも一部は開口しており、端子部材１３の底面は常に外部に露出した状態にあるが、端子部材１３には底面を覆うカバーを含んでもよい。
【００２０】
図２（ａ），（ｂ）は、それぞれ図１におけるＡＡ及びＢＢ矢視断面図である。図２（ａ）に示すように、正面側の壁から所定長さＬの範囲では、本体カバー部１１の上面一端部には開口が形成される。また底面は幅方向両端部を除いて除かれており、その幅方向両端部がフランジ１１１となっている。また本体カバー部１１の正面側から所定の範囲、少なくとも一部の側面内壁にはブラケット１１２が形成されている。このブラケット１１２と押下部１８の間には弾性体１７が挟まれている。押下部１８は、本体カバー部１１の上面側一部に形成された開口を通じてその上面が露出しており、下方に清掃部１６が取付けられている。つまりこの清掃部１６は押下部１８と一体的に設けられている。
【００２１】
ここで弾性体１７は所定の自然長を有し、外力のないときに自然長に復元するゴム、バネ等である。また清掃部１６は、対象物表面の油膜等を拭取ることのできる機能性繊維等で形成される。
【００２２】
端子部材１３は図２（ｃ）に例示するように、板状の基板を含む。本実施の形態のある例では、この端子部材１３は、板状の基板そのものであり、底面が外部に露出している。また本実施の形態の別の例では、この端子部材１３は、板状の基板と、この基板の底部側に配されるカバーとを含む。図２（ｃ）ではカバーを含む場合が図示されている。図２（ｃ）に示すように、この端子部材１３のカバー（端子部材１３が基板そのものである場合は基板）には、その幅方向両側近傍にそれぞれ、背面側から長手方向に所定の長さだけ、略Ｌ字型の係合部１３１が形成される。この係合部１３１は、本体カバー部１１の内側に形成されたフランジ１１１に係合する。また端子部材１３には一方側に導体パターン１５を形成した端子部１４が設けられる。またこの導体パターン１５に電気的に接続された回路部１２が端子部材１３の板状基板上に設けられてもよい。図２（ｃ）は、端子部材１３の形状例を表す参考斜視図である。
【００２３】
図２（ｃ）に示したように、本体カバー部１１と端子部材１３とは、係合部１３１の正面側端部が本体カバー部１１の正面内側壁に当接する位置と、係合部１３１の背面側端部が本体カバー部１１の背面内側壁に当接する位置との間で（つまり規制された範囲で）、その長手方向に沿って相対的に移動可能となっている。また、係合部１３１とフランジ１１１とが係合しているので、これらがバラバラになることはない。
【００２４】
またこの実施の形態においては、弾性体１７が清掃部１６を押下部１８とともに本体カバー部１１の上方へと付勢している。そして押下部１８に外部から何らの圧力が加わらない状態では、清掃部１６の端子部材１３側の面は、端子部材１３の上面に空隙をおいて対向する位置（退避位置と呼ぶ）にある。また押下部１８に外部から下向きの圧力が加わると、清掃部１６の面が端子部材１３の端子部１４に接し、導体パターン１５の移動軌跡上に位置することとなるよう、押下部１８と清掃部１６との厚さ、弾性体１７の自然長が調整されているものとする。
【００２５】
なお回路部１２は、メモリチップやプロセッサ等を含み、ここでは端子部材１３の平面上に一体的に形成されている。またここでの例では、導体パターン１５はＵＳＢメモリ１０のＵＳＢコネクタの導体である。また本実施の形態では例えば本体カバー部１１と端子部材１３とが互いに係合した状態を維持しつつその長手方向に沿って相対的に移動可能となって、端子部１４が収納位置と露出位置とで移動できれば、その機構はどのようなものであってもよい。
【００２６】
本実施の形態の例に係るＵＳＢメモリ１０は、以上の構成を備えており、次のように動作する。動作の理解をしやすくするため、以下ではこの電子機器であるＵＳＢメモリ１０を、端子部材１３の移動方向に沿った面で切断した断面図（図３，図４）を用いて説明する。
【００２７】
図３は押下部１８が押圧されておらず、清掃部１６が退避位置にある例を示す。この状態では、利用者が端子部材１３を、本体カバー部１１に対して相対移動させても、清掃部１６が導体パターン１５に接することなく、端子部１４が露出する位置と、本体カバー部１１に収納される位置との間で移動する。つまり、清掃は行われない。
【００２８】
一方、図４（ａ）に例示するように、利用者が押下部１８を下方へ押圧しつつ、端子部材１３を本体カバー部１１に対して相対移動させると、清掃部１６の下面が導体パターン１５の移動軌跡上に向けて移動する（図４（ｂ））ことから、清掃部１６が導体パターン１５に接触し、清掃部１６は導体パターン１５の表面を拭うこととなる。これによって導体パターン１５に付着した汚れや油脂が除去される。なお、押下部１８の押圧力を調整することで、例えば押圧力を強くすればするほど、清掃部１６がより強く導体パターン１５に接触することとなり、導体パターン１５を清掃する能力が向上する。これは付着した汚れ等が多いときに効果的である。このように、本実施の形態のある例によると、押下部１８の操作によって、接続用の端子を清掃するかしないかを利用者が選択でき、さらに「清掃せずに端子部１４を突出させる」「端子部１４を軽く清掃する」「端子部１４を強く清掃する」といった調整も可能となる。
【００２９】
次に、本発明の第２の実施の形態に係る電子機器について説明する。この第２の実施の形態に係る電子機器の一例は、図５の断面図に例示されるＵＳＢメモリ２０である。この実施の形態の電子機器の一例としてのＵＳＢメモリ２０は、図５に例示するように、カバー部材としての本体カバー部２１と、端子部材２３と、端子部２４と、導体パターン２５とを含む。図５は電子機器である本実施の形態の例に係るＵＳＢメモリ２０を、端子部材２３の移動方向に沿った面で切断した断面図である。
【００３０】
本体カバー部２１は、実質的に直方体形状をなす。もっともデザイン等のため、側面視においてやや平行四辺形状となっていても構わない。
【００３１】
端子部材２３は、その一端側に端子部２４を備えている。またこの端子部材２３は、本体カバー部２１に係合しており、係合状態を維持したままで本体カバー部２１との間でその長手方向に沿って相対的に移動可能になっている。このような動きをするための構造については、既に述べた例のほか、種々の公知の方法を採用できるので、ここでの詳しい説明は省略する。またこれにより、端子部２４が、カバー部材である本体カバー部２１に収納される位置（収納状態：図５（ａ））と、本体カバー部２１から外部に露出する位置（図５（ｂ））との間で移動可能となっている。
【００３２】
本実施の形態において特徴的なことの一つは、図５（ａ）に示した収納状態で、端子部２４に対向する側の本体カバー部２１の端部が端子部２４と同形状の部分（同じ厚さ、幅、奥行）を含む（以下、擬端子部２４′と呼ぶ）ことであり、また、この擬端子部２４′の少なくとも端子部２４に対向する側の面（底面）側に、清掃部２６が配されていることである。
【００３３】
この清掃部２６は、対象物表面の油膜等を拭取ることのできる機能性繊維で形成される。またこの擬端子部２４′は、端子部２４と同じ形状に形成されているので、端子部２４を受け入れるレセプタクルには、端子部２４の代わりにそのままこの擬端子部２４′が挿入可能となっている。
【００３４】
そして端子部材２３と本体カバー部２１との相対移動により、この清掃部２６が端子部材２３に隠蔽される位置（図５（ａ）と同じ相対位置）と、外部に露出する位置（図５（ｃ））との間で移動可能となっている。
【００３５】
この図５に例示した本実施の形態の電子機器では、端子部材２３と、端子清掃部材である清掃部２６とがその長手方向に沿って相互に、所定規制範囲（端子部２４や清掃部２６を外部に露出させる位置と隠蔽される位置とで往復可能な範囲）に亘って相対移動可能となっており、端子部２４と清掃部２６とのいずれかを、選択的に露出させることが可能となっている。
【００３６】
利用者は、ＵＳＢメモリ２０を利用しないとき（携行時など）は、図５（ａ）に示したように、端子部２４が清掃部２６に対向する状態にある位置においた状態としておく。この状態では、端子部２４に形成された導体パターン２５は隠れた状態にある。
【００３７】
また利用者は、ＵＳＢメモリ２０をコンピュータ等に接続して、記憶デバイスとして利用する場合には、図５（ｂ）に示したように、端子部２４が外部に露出する位置に本体カバー部２１と端子部材２３とを相対移動させる。そして端子部２４をコンピュータ等に備えられたレセプタクルに挿入する。
【００３８】
さらにコンピュータ等のレセプタクル側を清掃する場合、利用者は、図５（ｃ）に示したように、清掃部２６が外部に露出するよう本体カバー部２１と端子部材２３とを相対移動させる。そして本体カバー部２１の擬端子部２４′をコンピュータ等に備えられたレセプタクルに挿入する。このとき、レセプタクルの端子（導体パターン２５に接触する端子）側に清掃部２６が向くように、端子部２４を挿入するときとは、上下を逆にして挿入する。これにより擬端子部２４′の挿抜時に、清掃部２６がレセプタクルの端子と擦り合い、レセプタクルの端子が清掃される。
【００３９】
さらにこの第２の実施の形態において、擬端子部２４′の上面を利用者が押圧しつつ、端子部２４が清掃部２６に対向する状態にある位置においた状態から端子部２４が外部に露出する位置まで本体カバー部２１と端子部材２３とを相対移動させると、清掃部２６が導体パターン２５に向けて押圧される。この状態で導体パターン２５を露出する位置まで移動すると、導体パターン２５が清掃部２６で清掃される。なお、このために本体カバー部２１の清掃部２６が形成されている部分の上面は撓みやすく形成されていてもよい。この場合は清掃部２６の剛性を、レセプタクルに挿入できる程度に高めておく。
【００４０】
またこの実施の形態の例では、清掃部２６を設けた擬端子部２４′を、本体カバー部２１の、端子部２４が対向する側に形成することとしたが、図６の断面図に例示するように、本体カバー部２１の一端側Ｄでなく他端側Ｅに、擬端子部２４′を形成し、その裏面に清掃部２６を設けてもよい。図６は、図５と同様、電子機器である本実施の形態のある例に係るＵＳＢメモリ２０を、端子部材２３の移動方向に沿った面で切断した断面図である。
【００４１】
この図６の例では、端子部２４が外部に露出する位置に本体カバー部２１と端子部材２３とを相対移動させたときを示している。この図６の例では、本体カバー部２１の端子部２４に対向する側の端部Ｄとは反対側の端部（つまり他端側）Ｅにおいて、本体カバー部２１の裏面側に設けられた清掃部２６が露出した状態となる。このように本体カバー部２１の他端側Ｅにも擬端子部２４′を形成し、その裏面に清掃部２６を設ける場合に、ＵＳＢメモリ２０をコンピュータ等に接続して記憶デバイスとして利用するときには、利用者は、図６に示したように端子部２４が外部に露出する位置に本体カバー部２１と端子部材２３とを相対移動させる。このとき端子部２４が突出した側とは異なる、他端側Ｅでは清掃部２６が露出した状態になっている。そして利用者は、端子部２４をコンピュータ等に備えられたレセプタクルに挿入する。
【００４２】
さらにコンピュータ等のレセプタクル側を清掃する場合、利用者は図６に例示した状態で露出している他端側Ｅの擬端子部２４′をレセプタクルに挿入する。この場合も、端子部２４を挿入するときとは、上下を逆にして挿入する。これにより清掃部２６がレセプタクルの端子と擦り合い、レセプタクルの端子が清掃される。
【００４３】
さらにこの実施の形態の別の例として、本体カバー部２１の端子部２４に対向する側の端部（一端側）Ｄと、それと反対側の端部（つまり他端側）Ｅとの両端部に擬端子部２４′を形成し、それぞれの裏面に清掃部２６を設けてもよい。
【００４４】
このように両端に擬端子部２４′を形成したときには、利用者はＵＳＢメモリ２０をコンピュータ等に接続して、記憶デバイスとして利用することを意図するときは、図７（ａ）に示すように、端子部２４が外部に露出する位置に本体カバー部２１と端子部材２３とを相対移動させる。このとき端子部２４とは異なる端側Ｅでは清掃部２６が露出した状態になっている。ここで利用者が端子部２４をコンピュータ等に備えられたレセプタクルに挿入すると、ＵＳＢメモリ２０を記憶デバイスとして利用可能となる。この図７（ａ）の例では、端子部２４が外部に露出する位置に本体カバー部２１と端子部材２３とを相対移動させたときを示している。
【００４５】
またこの図７（ａ）に例示した状態で、露出している他端側Ｅの擬端子部２４′をレセプタクルに挿入すると、その裏面に設けられた清掃部２６がレセプタクルの端子と擦り合い、レセプタクルの端子が清掃される。この場合も、端子部２４を挿入するときとは、上下を逆にして挿入する。
【００４６】
また利用者は、レセプタクルを清掃することを意図するときには、図７（ｂ）に示すように、端子部２４に対向する側Ｄの擬端子部２４′の裏面に設けた清掃部２６を外部に露出させる位置に、本体カバー部２１と端子部材２３とを相対移動させてもよい。この場合、当該一端側Ｄの擬端子部２４′をコンピュータ等に備えられたレセプタクルに挿入する。このとき、レセプタクルの端子（導体パターン２５に接触する端子）側に清掃部２６が向くよう、端子部２４を挿入するときとは、上下を逆にして挿入する。これにより当該一端側Ｄの擬端子部２４′裏面に設けた清掃部２６がレセプタクルの端子と擦り合い、レセプタクルの端子が清掃される。
【００４７】
さらにここまでの例では、電子機器をその機能が発揮されるように（つまり端子部２４がレセプタクル側の端子に接触するように）端子部２４をレセプタクルに挿入する場合と、レセプタクルの端子を清掃するために擬端子部２４′をレセプタクルに挿入する場合とで、電子機器の上下を逆にすることとしていた。これは端子部２４の導体パターン２５が形成された面の向きと、擬端子部２４′の清掃部２６が設けられる面の向きとが逆（互いに対向する面）となっていることによるものである。
【００４８】
そこで、使用時と清掃時とで上下を逆とせず、また、レセプタクル側の上下にそれぞれ電極があるようなコネクタにおいても一度で清掃ができるよう、清掃部２６を擬端子部２４′の表面側と裏面側との双方に設けてもよい。しかしながら表面側の清掃部２６は常に露出した状態に置かれるため、皮脂、埃、その他の異物等が付着しやすい状態となってしまう。
【００４９】
本実施の形態の別の例は、図８に例示するように、互いに隣接する部材が、その長手方向に沿って相互に、所定規制範囲（端子部２４や清掃部２６を外部に露出させる位置と隠蔽される位置とで往復可能な範囲）に亘って相対移動可能なシェル部２９、本体カバー部２１、及び端子部材２３をこの順に配した構成としてもよい。
【００５０】
この例によると、利用者は、ＵＳＢメモリ２０を利用しないとき（携行時など）は、図８（ａ）に示すように、端子部２４が清掃部２６ａに対向し、またシェル部２９が、本体カバー部２１の擬端子部２４′の表面側に設けられた清掃部２６ｂを覆い隠す位置になるよう、シェル部２９と本体カバー部２１との相対的位置を設定する。この状態では、端子部２４に形成された導体パターン２５も隠れた状態にある。
【００５１】
また利用者は、ＵＳＢメモリ２０をコンピュータ等に接続して、記憶デバイスとして利用する場合には、利用者は、図８（ｂ）に示すように、端子部２４が外部に露出する位置に本体カバー部２１と端子部材２３とを相対移動させる。このとき、本体カバー部２１とシェル部２９との相対的な位置関係は変えない。そして利用者は、端子部２４をコンピュータ等に備えられたレセプタクルに挿入する。
【００５２】
さらにコンピュータ等のレセプタクル側を清掃する場合、利用者は、図８（ｃ）に示すように、清掃部２６ａ，ｂが設けられた擬端子部２４′の表裏両面が外部に露出するよう、本体カバー部２１を、端子部材２３及びシェル部２９に対して相対移動させる。そして露出した本体カバー部２１の擬端子部２４′をコンピュータ等に備えられたレセプタクルに挿入する。このときには、レセプタクルの端子（本来導体パターン２５に接触する端子）が表面側と裏面側とのどちらにあっても（あるいは両方にあっても）、清掃部２６ａ，ｂのいずれかがレセプタクルの端子と擦り合うこととなり、レセプタクルの端子が清掃される。
【００５３】
ここでの説明では、本実施の形態の電子機器の一例としてＵＳＢメモリを挙げてきた。しかし本発明の実施の形態は、これに限られるものではない。例えば本実施の形態の電子機器はＵＳＢプラグを備えたいかなる機器であってもよい。そのプラグ部分を上述の構成とすることで、キーボード、マウス、ゲーム用コントローラ等、種々の周辺機器であってもよい。さらに、ＵＳＢに限らず、ＩＥＥＥ１３９４、Thunderbolt、その他のプラグを備えた機器であってもよい。
【００５４】
また図５から図８の例では、これらの図における断面視において本体カバー部２１の形状が山形となっている例としたが、本実施の形態は、これに限らず、例えば図７の例に対応する図９に例示するように、本体カバー部２１の表面は平面となっていても構わない。
【００５５】
なお、ここまでの例において、清掃部１６，２６は交換可能となっていてもよい。ここで、清掃部１６，２６としての機能性繊維部分を交換するものであってもよいし、これらと一体的に形成される押下部１８や、本体カバー部１１，２１などと一体的に交換するものであってもよい。
【符号の説明】
【００５６】
１０，２０，２００  ＵＳＢメモリ、１１，２１  本体カバー部、１２，２２  回路部、１３，２３  端子部材、１４，２４，２０３  端子部、１５，２５，２０４  導体パターン、１６，２６  清掃部、１７  弾性体、１８  押下部、２４′  擬端子部、２９  シェル部、１１１  フランジ、１１２  ブラケット、１３１  係合部、２０２  本体部、２０５  シェル。
【図１】
2014010922.tif 000003
【図２】
2014010922.tif 000004
【図３】
2014010922.tif 000005
【図４】
2014010922.tif 000006
【図５】
2014010922.tif 000007
【図６】
2014010922.tif 000008
【図７】
2014010922.tif 000009
【図８】
2014010922.tif 000010
【図９】
2014010922.tif 000011
【図１０】
2014010922.tif 000012